(57)【要約】　【課題】　有利な遊技状態になるかどうかというときに従来と異なる興趣性を遊技者に与える。　【解決手段】　変動表示を開始したあと一旦停止して仮停止図柄を表示するという動作（単動作）が６回行われたあと、各単動作ごとに生成した仮停止図柄が第１〜第６の仮停止図柄表示領域４０４ａ〜４０４ｆに表示される。続いて、第１の仮停止図柄表示領域４０４ａの外枠を太線で囲い込む決定枠４０６が表示され、この決定枠４０６が各仮停止図柄表示領域４０４ａ〜４０４ｆを順次囲うようにして移動する。その後、決定枠４０６は、メイン制御装置からの表示コマンドの停止図柄コマンドに対応した停止図柄つまり第５の仮停止図柄表示領域４０４ｅで停止し、この仮停止図柄「５」「５」「５」が停止図柄となって拡大表示される。　【選択図】　図２２
2004000740.tif 000002
【特許請求の範囲】
【請求項１】
　図柄を変動表示可能な図柄表示手段と、
　所定の始動条件が成立すると前記図柄表示手段の図柄の変動表示を開始させ、変動表示終了後の停止図柄が当り図柄であることを必要条件として遊技者にとって有利な遊技状態になるよう制御する制御手段と
　を備えた遊技機において、
　前記制御手段は、
　前記始動条件が成立したときの前記図柄表示手段の変動パターンとして、複数の仮停止図柄を一覧表示させ該一覧表示された仮停止図柄の中から停止図柄を決定するというパターンを有している、
　遊技機。
【請求項２】
　請求項１に記載の遊技機であって、
　１の本停止図柄を決定する手段と、
　１以上の偽停止図柄を決定する手段と、
　前記複数の仮停止図柄として前記１の本停止図柄と前記１以上の偽停止図柄とを採用する手段と、
　を備え、
　前記制御手段は、前記パターンを前記図柄表示手段に表示するに際し、採用された前記１の本停止図柄と前記１以上の偽停止図柄とを前記複数の仮停止図柄として一覧表示させ該一覧表示された仮停止図柄の中から停止図柄として前記本停止図柄を決定する、
　遊技機。
【請求項３】
　前記制御手段は、前記一覧表示される仮停止図柄として当り図柄と外れ図柄とを混在して表示させる、
　請求項１又は２に記載の遊技機。
【発明の詳細な説明】
【技術分野】
【０００１】
　本発明は、遊技機に関する。
【背景技術】
【０００２】
　従来、図柄表示装置を備えたパチンコ機としては、始動口に遊技球が入ることによって始動条件が成立し、図柄表示装置の図柄が変動を開始し、変動終了後の停止図柄が外れ図柄ならば通常の遊技状態が継続され、変動終了後の停止図柄が大当り図柄ならば遊技者に有利な特別遊技状態になるものが知られている。この特別遊技状態では、アタッカーと呼ばれる大入賞口が開き、この大入賞口に所定数（例えば１０個）の遊技球が入ると大入賞口が閉じるのであるが、大入賞口に入った遊技球のうちの少なくとも一つが大入賞口内のＶゾーンと呼ばれる領域に入ると再度大入賞口が開き、この動作が予め定められた最大回数（例えば１６回）繰り返される。
【発明の開示】
【発明が解決しようとする課題】
【０００３】
　ところで、始動条件が成立したとき、図柄表示装置の図柄が変動を開始したあと終了し、再度変動を開始したあと終了し、最終的にリーチ即ち大当りになる一歩手前の状態になると、大当りになる期待度が高まるという変動パターンで図柄表示がなされる遊技機が提案されている。
【０００４】
　しかしながら、この変動パターンでは変動の開始・終了が複数回行われるものの、結局は従来どおり、大当りになる一歩手前の状態で遊技者に大当りになるんじゃないかという期待感を持たせつつ最後の図柄がどう停止するかによって最終的に大当り図柄になるか否かが決まるため、従来と比べてあまり興趣性が異なるものではなかった。
【０００５】
　本発明は、上述した問題に鑑みなされたものであり、有利な遊技状態になるかどうかというときに従来と異なる興趣性を遊技者に与えることができる遊技機を提供することを目的とする。
【課題を解決するための手段】
【０００６】
　本発明の遊技機は、上述の目的を達成するために以下の手段を採った。なお、必要に応じてその作用等についても説明する。
【０００７】
　手段１．図柄を変動表示可能な図柄表示手段と、
　所定の始動条件が成立すると前記図柄表示手段の図柄の変動表示を開始させ、変動表示終了後の停止図柄が当り図柄であることを必要条件として遊技者にとって有利な遊技状態になるよう制御する制御手段と
　を備えた遊技機であって、
　前記制御手段は、
　前記始動条件が成立したときの前記図柄表示手段の変動パターンとして、複数の仮停止図柄を一覧表示させ該一覧表示された仮停止図柄の中から停止図柄を決定するというパターンを有している
　遊技機。
【０００８】
　この遊技機では、始動条件が成立したときの図柄表示手段の変動パターンとして、複数の仮停止図柄を一覧表示させその一覧表示された仮停止図柄の中から停止図柄を決定するというパターンが採用されることがある。この変動パターンにおいて、遊技者は一覧表示された複数の仮停止図柄のどれが停止図柄になるのかに興味をそそられる。このような変動パターンは従来知られていなかったものである。したがって、この遊技機によれば、有利な遊技状態になるかどうかというときに従来と異なる興趣性を遊技者に与えることができる。
【０００９】
　ここで、「図柄」とは、視覚的に自他の識別が可能な表示情報であればどのようなものでもよいが、例えば数字、文字、図形、記号、色彩などが挙げられる。また、「制御手段」は一つの制御装置で構成されていてもよいし、複数の制御装置で構成されていてもよい。更に、「所定の始動条件」とは、予め定められた図柄変動表示開始条件をいい、例えば所定の始動口に遊技球が入賞するという条件や、図柄変動中に所定の始動口に遊技球が入賞して保留されたあと図柄変動表示が終了して保留分を消化するという条件などが挙げられる。なお、保留分には、保留回数が上限に達したあと所定の始動口に遊技球が入賞したときに今回抽選して得られたカウンタ値（当り判定用の内部乱数カウンタ値やリーチ判定用のリーチ乱数カウンタ値など）とそれまで保留していたカウンタ値とを書き換えて保留した保留分を含んでいてもよい。手段１記載の遊技機は、１の本停止図柄を決定する手段と、１以上の偽停止図柄を決定する手段と、前記複数の仮停止図柄として前記１の本停止図柄と前記１以上の偽停止図柄とを採用する手段と、を備え、前記制御手段は、前記パターンを前記図柄表示手段に表示するに際し、採用された前記１の本停止図柄と前記１以上の偽停止図柄とを前記複数の仮停止図柄として一覧表示させ該一覧表示された仮停止図柄の中から停止図柄として前記本停止図柄を決定してもよい。
【００１０】
　手段２．手段１記載の遊技機であって、前記制御手段は、前記一覧表示される仮停止図柄として当り図柄と外れ図柄とを混在して表示させる遊技機。こうすれば、一覧表示される仮停止図柄には当り図柄と外れ図柄とが混在するため、遊技者は複数の仮停止図柄のうちの当り図柄が停止図柄になることを期待しながら遊技することになり興趣性が高まる。
【００１１】
　手段３．手段１又は２記載の遊技機であって、前記パターンは、前記図柄表示手段で変動表示を開始させたあと一旦停止させて仮停止図柄を表示させるという動作（以下「単動作」という）を少なくとも２回以上行い、前記変動表示が一旦停止するごとに得られた仮停止図柄を一覧表示させ、該一覧表示された仮停止図柄の中から停止図柄を決定するというパターンである遊技機。こうすれば、始動条件が成立したときの図柄表示手段の変動パターンとして、図柄表示手段で変動表示を開始させたあと一旦停止させて仮停止図柄を表示させるという動作を少なくとも２回以上行い、変動表示が一旦停止するごとに得られた仮停止図柄を一覧表示させ、その一覧表示された仮停止図柄の中から停止図柄を決定するというパターンが採用されると、単動作が停止するごとに仮停止図柄が表示されるため、その仮停止図柄が当り図柄であれば最終的にその当り図柄が停止図柄になることを期待しながら遊技を行い、あるいは、その仮停止図柄が外れ図柄であれば次回の仮停止図柄が当り図柄になることを期待しながら遊技を行う。したがって、この点でも興趣性が高まる。
【００１２】
　手段４．手段３記載の遊技機であって、前記制御手段は、前記パターンにおいて前記単動作を予め定められた所定回数行う遊技機。こうすれば、遊技者は所定回数分の仮停止図柄が一覧表示されるのを楽しみながら待つことができる。
【００１３】
　手段５．手段３記載の遊技機であって、前記制御手段は、前記パターンにおいて前記単動作を随時定められた回数だけ行う遊技機。こうすれば、遊技者はいくつ仮停止図柄が一覧表示されるのかわからないので、次回の単動作が開始されることを期待しつつ、あるいは逆に次回の単動作が開始されないことを期待しつつ、遊技を楽しむことができる。
【００１４】
　手段６．手段３〜５のいずれかに記載の遊技機であって、前記単動作に要する時間はいずれの回も同じである遊技機。こうすれば、定期的に仮停止図柄が表示されるため、遊技者はテンポよく遊技することができる。
【００１５】
　手段７．手段３〜５のいずれかに記載の遊技機であって、前記単動作に要する時間は回によって異なることがある遊技機。こうすれば、不定期に仮停止図柄が表示されるため、遊技者は単動作がいつ停止するのかわからず、期待感を持って仮停止図柄が表れるのを待つ。
【００１６】
　手段８．手段３〜７のいずれかに記載の遊技機であって、前記制御手段は、前記単動作を実行している期間中、前記図柄表示手段に前記単動作の様子を表示すると共にそれまでの仮停止図柄を一覧表示する遊技機。こうすれば、遊技機が単動作の実行している途中であっても、遊技者はそれまでの仮停止図柄を確認することができる。
【００１７】
　手段９．手段８記載の遊技機であって、前記制御手段は、前記単動作を実行ししている期間中、前記図柄表示手段に前記単動作の様子と前記仮停止図柄の一覧とが重ならないように表示する遊技機。こうすれば、遊技機が単動作を実行している途中であっても、遊技者はそれまでの仮停止図柄のすべてを容易に確認することができる。
【００１８】
　手段１０．手段８記載の遊技機であって、前記制御手段は、前記単動作を実行ししている期間中、前記図柄表示手段に前記単動作の様子と前記仮停止図柄の一覧とが重なり合うように表示し、前記単動作が停止するごとに前記単動作の様子を消して前記仮停止図柄の一覧をすべて表示する遊技機。こうすれば、遊技機が単動作を実行している途中ではそれまでの仮停止図柄のすべてを確認することができない場合もあるが、単動作が停止するごとに仮停止図柄の一覧がすべて表示されるため、その時点で遊技者は仮停止図柄のすべてを確認することができる。
【００１９】
　手段１１．手段３〜１０のいずれかに記載の遊技機であって、前記図柄表示手段は、複数の図柄を変動表示可能な手段であり、前記制御手段は、前記図柄表示手段で変動表示を開始させたあと一旦停止させて仮停止図柄を表示させるという動作を行うときには前記図柄表示手段の前記複数の図柄のすべてを変動表示させたあと一旦停止させて仮停止図柄を表示させる遊技機。こうすれば、有利な遊技状態になるかどうかというときに従来と異なる興趣性を一層遊技者に与えやすい。
【００２０】
　手段１２．手段１〜１１のいずれかに記載の遊技機であって、前記制御手段は、前記パターンを前記図柄表示手段に表示させるよう指示する変動パターンコマンドを送信するメイン制御部と、前記メイン制御部から受信した前記変動パターンコマンドに基づいて前記図柄表示手段を制御する表示用制御部とを備えた遊技機。こうすれば、表示用制御部はメイン制御部から受信した変動パターンコマンドに基づいて図柄表示手段を制御するため、メイン制御部の負担が軽減する。
【００２１】
　手段１３．手段１２記載の遊技機であって、前記表示制御部は、前記図柄表示手段を制御しつつそれに合わせてランプ表示の制御及び音声発生の制御も行う遊技機。こうすれば、ランプ表示や音声発生を図柄の表示内容に合わせて適切に制御することができる。
【００２２】
　手段１４．前記遊技機はパチンコ機である手段１〜１３のいずれかに記載の遊技機。こうすれば、パチンコ機において、手段１〜１３の作用効果が得られる。なお、パチンコ機としては、いわゆる第１種、第２種、第３種と称される機種であってもよいが、これら以外であっても前出の図柄表示手段と制御手段とを備えたものであればよい。
【００２３】
　手段１５．所定の始動条件が成立すると、図柄を変動表示可能な図柄表示手段の図柄の変動表示を開始させ、変動表示終了後の停止図柄が当り図柄であることを必要条件として遊技者にとって有利な遊技状態になるようコンピュータが制御する遊技制御方法において、
　前記コンピュータは、前記始動条件が成立したときの前記図柄表示手段の変動パターンとして、複数の仮停止図柄を一覧表示させ該一覧表示された仮停止図柄の中から停止図柄を決定するというパターンを有しており、前記始動条件が成立したときに前記パターンが選択されると該パターンにしたがって処理を実行する
　遊技制御方法。
【００２４】
　この遊技制御方法では、前記パターンにおいて、遊技者は一覧表示された複数の仮停止図柄のどれが停止図柄になるのかに興味をそそられる。このような変動パターンは従来知られていなかったものであるため、有利な遊技状態になるかどうかというときに従来と異なる興趣性を遊技者に与えることができる。
【００２５】
　この遊技制御方法において、前記コンピュータは、前記一覧表示される仮停止図柄として当り図柄と外れ図柄とを混在させてもよい。また、前記コンピュータは、前記パターンにおいて、前記図柄表示手段で変動表示を開始させたあと一旦停止させて仮停止図柄を表示させるという動作（以下「単動作」という）を少なくとも２回以上行い、前記変動表示が一旦停止するごとに得られた仮停止図柄を一覧表示させ、該一覧表示された仮停止図柄の中から停止図柄を決定してもよい。このとき、前記単動作を予め定められた所定回数行ってもよいし、前記単動作を随時定められた回数だけ行ってもよく、また、前記単動作に要する時間はいずれの回も同じであってもよいし、回によって異なることがあってもよい。更に、前記単動作を実行している期間中、前記図柄表示手段に前記単動作の様子を表示すると共にそれまでの仮停止図柄を一覧表示してもよい。このとき、前記図柄表示手段に前記単動作の様子と前記仮停止図柄の一覧とが重ならないように表示してもよいし、前記単動作の様子と前記仮停止図柄の一覧とが重なるように表示し前記単動作が停止するごとに前記単動作の様子を消して前記仮停止図柄の一覧をすべて表示するようにしてもよい。
【００２６】
　手段１６．所定の始動条件が成立すると、図柄を変動表示可能な図柄表示手段の図柄の変動表示を開始させ、変動表示終了後の停止図柄が当り図柄であることを必要条件として遊技者にとって有利な遊技状態になるようコンピュータに制御させるための遊技制御プログラムにおいて、
　前記始動条件が成立したときの前記図柄表示手段の変動パターンとして、複数の仮停止図柄を一覧表示させ該一覧表示された仮停止図柄の中から停止図柄を決定するというパターンを前記コンピュータに実行させる
　遊技制御プログラム。
【００２７】
　この遊技制御プログラムをコンピュータに実行させれば、前記パターンにおいて、遊技者は一覧表示された複数の仮停止図柄のどれが停止図柄になるのかに興味をそそられる。このような変動パターンは従来知られていなかったものであるため、有利な遊技状態になるかどうかというときに従来と異なる興趣性を遊技者に与えることができる。
【００２８】
　なお、この遊技制御プログラムは、遊技機のコンピュータに実行させてもよいし、汎用パソコンに実行させてもよいし、その他どのようなコンピュータに実行させてもよい。また、この遊技制御プログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介して配信されてもよいし、その他どのような形で授受されてもよい。
【００２９】
　この遊技制御プログラムにおいて、前記コンピュータに、前記一覧表示される仮停止図柄として当り図柄と外れ図柄とを混在して表示させてもよい。また、前記パターンにおいて、前記図柄表示手段で変動表示を開始させたあと一旦停止させて仮停止図柄を表示させるという動作（以下「単動作」という）を少なくとも２回以上行わせ、前記変動表示が一旦停止するごとに得られた仮停止図柄を一覧表示させ、該一覧表示された仮停止図柄の中から停止図柄を決定させてもよい。このとき、前記単動作を予め定められた所定回数行わせてもよいし、前記単動作を随時定められた回数だけ行わせてもよく、また、前記単動作に要する時間はいずれの回も同じであってもよいし、回によって異なることがあってもよい。更に、前記単動作を実行している期間中、前記図柄表示手段に前記単動作の様子を表示させると共にそれまでの仮停止図柄を一覧表示させてもよい。このとき、前記図柄表示手段に前記単動作の様子と前記仮停止図柄の一覧とが重ならないように表示させてもよいし、前記単動作の様子と前記仮停止図柄の一覧とが重なり合うように表示させ前記単動作が停止するごとに前記単動作の様子を消して前記仮停止図柄の一覧をすべて表示させるようにしてもよい。
【発明を実施するための最良の形態】
【００３０】
　図１は本発明の一実施形態であるパチンコ機２０を正面から見た外観図であり、図２はパチンコ機２０の遊技盤３０の構成の概略を示す構成図であり、図３は本実施形態のパチンコ機２０の電気的接続を例示するブロック図である。本実施形態のパチンコ機２０は、図１に示すように、前面枠２２にはめ込まれたガラスに覆われた遊技盤３０と、遊技球を貯留する上受け皿２４および下受け皿２６と、遊技球を遊技盤３０へ発射するための発射ツマミ２８と、パチンコ機２０全体を制御するメイン制御装置７０（図３参照）とを備える。
【００３１】
　遊技盤３０は、図２に示すように、遊技盤３０の中央の上部に配置された普通図柄表示装置３２と、遊技盤３０の左右部に各々配置され遊技球の通過を検知する普通図柄始動口スイッチ３６ａ，３６ｂを有する普通図柄表示装置作動ゲート３４ａ，３４ｂと、普通図柄表示装置３２の下側に配置された特別図柄表示装置４０と、特別図柄表示装置４０の下側に配置され遊技球の入賞を検知する特別図柄始動口スイッチ４４を有する始動口４２と、始動口４２に取り付けられ開閉可能なチューリップ式の普通電動役物４６と、始動口４２の下側に配置され開閉可能な大入賞口５０と、遊技盤３０の左右下部に計４個配置された普通入賞口６０ａ〜６０ｄと、いずれの入賞口にも入らなかった遊技球を回収するアウト口６９とを備える。
【００３２】
　普通図柄表示装置３２は、背後に設けられた図示しないランプの点灯を切り換えることにより変動表示する「○」および「×」の図柄３２ａ，３２ｂと、この「○」および「×」の図柄３２ａ，３２ｂの上側に配置された４個の普通図柄変動保留ランプ３３ａ〜３３ｄとを備える。「○」および「×」の図柄３２ａ，３２ｂは、遊技球が普通図柄表示装置作動ゲート３４ａ，３４ｂを通過したのを検知したときに変動表示の開始がなされ、所定時間変動表示後に「○」および「×」の図柄３２ａ，３２ｂのいずれかを点灯した状態で変動表示を終了する。普通図柄変動保留ランプ３３ａ〜３３ｄは、普通図柄表示装置３２による「○」および「×」の図柄３２ａ，３２ｂの変動表示の最中に遊技球が普通図柄表示装置作動ゲート３４ａ，３４ｂを通過するごとに左側から順に一つずつ点灯され、普通図柄表示装置３２による「○」および「×」の図柄３２ａ，３２ｂの変動表示が開始される毎に点灯とは逆の順に消灯されることにより、変動表示の最中に普通図柄表示装置作動ゲート３４ａ，３４ｂを通過した回数を最大４回まで保留回数として示す。
【００３３】
　始動口４２に設けられたチューリップ式の普通電動役物４６は、普通図柄表示装置３２による変動表示が「○」の図柄３２ａで停止したときに当りとしてチューリップを所定時間（例えば０．３秒間）開くものとして構成されている。
【００３４】
　特別図柄表示装置４０は、液晶ディスプレーなどの表示装置として構成されており、図３に示す表示用制御装置９０により表示内容が制御されている。特別図柄表示装置４０は、図２に例示するように、左，中，右の３個の図柄Ｌ，Ｍ，Ｒを表示しており、遊技球が始動口４２に入賞するのを検知したときにこの３個の図柄Ｌ，Ｍ，Ｒを変動表示させる。そして、所定の変動時間が終了したときに、左図柄Ｌ，右図柄Ｒ，中図柄Ｍの順に変動表示が停止し、各図柄Ｌ，Ｍ，Ｒが予め定められた大当り図柄で揃ったときに大当り用の特別遊技動画を表示する。なお、変動表示の停止順は特にこの順序に限られるものではなく、別の順序であってもよい。
【００３５】
　図４は、表示用制御装置９０の構成を中心に示すブロック図である。表示用制御装置９０は、メイン制御装置７０から入力される表示コマンドなどに基づいて特別図柄表示装置４０に表示する画像の処理を実行するＣＰＵ９１とＣＰＵ９１の処理に従って特別図柄表示装置４０への３個の図柄Ｌ，Ｍ，Ｒの変動表示や背景図の表示を制御する画像コントローラとしてのＶＤＰ９２を中心として構成されており、ＣＰＵ９１で実行される処理プログラムや３個の図柄Ｌ，Ｍ，Ｒとして変動表示させるキャラクタ図の色を記憶するプログラムＲＯＭ９３と、データを一時的に記憶するワークＲＡＭ９４と、特別図柄表示装置４０に表示する３個の図柄の番号としてのキャラクタ番号とその色を決定するためのパレット番号を書き込むＶＲＡＭ９５と、３個の図柄Ｌ，Ｍ，Ｒとして変動表示させるキャラクタ図や背景図の図柄を記憶するキャラクタＲＯＭ９６と、色データを１６個の色番号により構成される３２個のパレット番号として書き込み可能なパレットＲＡＭ９７とを備える。ＣＰＵ９１は、メイン制御装置７０からの表示コマンドなどによって起動させる処理プログラムに基づいて３個の図柄を決定しそのキャラクタ番号とパレット番号とをＶＲＡＭ９５に書き込むと共にパレットのデータをＶＲＡＭ９５に書き込んだパレット番号に該当するパレットＲＡＭ９７の位置に書き込む。ＶＤＰ９２は、ＶＲＡＭ９５に書き込まれたキャラクタ番号を参照してキャラクタＲＯＭ９６内の該当するキャラクタから色番号を読み出し、パレット番号と読み出した色番号からパレットＲＡＭ９７内の該当する色データを読み出して特別図柄表示装置４０に出力することにより、特別図柄表示装置４０の３個の図柄Ｌ，Ｍ，Ｒを表示する。
【００３６】
　遊技盤３０には、普通図柄表示装置３２と特別図柄表示装置４０との間に４個の特別図柄変動保留ランプ４１ａ〜４１ｄが設けられている。この特別図柄変動保留ランプ４１ａ〜４１ｄは、特別図柄表示装置４０による３個の図柄Ｌ，Ｍ，Ｒの変動表示の最中や特別遊技動画を表示している最中に遊技球が始動口４２に入賞するごとに左側から順に一つずつ点灯され、特別図柄表示装置４０による３個の図柄Ｌ，Ｍ，Ｒの変動表示が開始される毎に点灯とは逆の順に消灯されることにより、変動表示の最中や特別遊技動画を表示している最中に始動口４２に入賞した球数を最大４個まで保留球数として示す。
【００３７】
　大入賞口５０は、通常は遊技球を受け入れない閉状態とされており、大当りのときに、図３に示す大入賞口駆動装置５２によって遊技球を受け入れやすい開状態と通常の閉状態とが所定の条件に基づいて繰り返されるよう駆動される。大入賞口５０には、遊技球の入賞をカウントする１０カウントスイッチ５４（図３参照）や大入賞口５０の右部に設けられたＶゾーン５６に遊技球が入賞したのを検出するＶカウントスイッチ５８（図３参照）が取り付けられている。
【００３８】
　遊技盤３０には、この他、発射された遊技球を円弧上に導くレール６２や遊技盤３０の中央部に導く左右の肩部に配置されたランプ風車６４ａ，６４ｂ，普通図柄表示装置作動ゲート３４ａ，３４ｂの近傍に配置された風車６６ａ，６６ｂ，特別図柄表示装置４０の両横に取り付けられた計８個のインジケータ６８ａ〜６８ｈなども取り付けられている。なお、遊技球をガイドしたり弾いたりしてその遊技性を高める複数の釘については図示を省略した。
【００３９】
　メイン制御装置７０は、図３に示すようにＣＰＵ７２を中心とするマイクロコンピュータとして構成されており、ＣＰＵ７２には電源を供給する電源回路７３の他に、各種処理プログラムを記憶するＲＯＭ７４や一時的にデータを記憶するＲＡＭ７６，所定周波数の矩形波を出力するクロック回路７８，入出力処理回路８０がバス８２によって接続されている。メイン制御装置７０には、普通図柄始動口スイッチ３６ａ，３６ｂからの通過信号や特別図柄始動口スイッチ４４からの始動信号，１０カウントスイッチ５４からのカウント信号，Ｖカウントスイッチ５８からのＶ信号，普通入賞スイッチや賞球カウントスイッチなどの他の入力装置８８からの入力信号などが入出力処理回路８０を介して入力されている。また、メイン制御装置７０からは、普通図柄表示装置３２への駆動信号や大入賞口駆動装置５２への駆動信号，普通図柄変動保留ランプ３３ａ〜３３ｄや特別図柄変動保留ランプ４１ａ〜４１ｄへの点灯信号，普通電動役物４６への駆動信号、スピーカ８６が接続された音声用制御装置８４への制御信号，特別図柄表示装置４０の表示制御を司る表示用制御装置９０への制御信号，賞球の払い出しを司る賞球制御装置などの他の出力装置８９への駆動信号などが入出力処理回路８０を介して出力されている。表示用制御装置９０は、図４に示すブロック構成であり、必要に応じて音声用制御装置８４へ制御信号を出力したり図示しない装飾ランプへの点灯信号を出力したりする。なお、インジケータ６８ａ〜６８ｈへの点灯信号は他の出力装置８９を介して出力されている。
【００４０】
　次に、こうして構成されたパチンコ機２０の動作について説明する。図５は、メイン制御装置７０により実行されるメインルーチンの一例を示すフローチャートである。このルーチンは、所定時間毎（例えば、２ｍｓｅｃ毎）に繰り返し実行される。
【００４１】
　メインルーチンが実行されると、メイン制御装置７０のＣＰＵ７２は、図６に例示する始動入賞処理（ステップＳ１００），図７に例示する変動開始処理（ステップＳ１０２），図８に例示する変動停止処理（ステップＳ１０４），図９に例示するカウンタ更新処理（ステップＳ１０６）を実行し、その後、図１０に例示する外れ図柄カウンタ更新処理（ステップＳ１０８）を残余時間中繰り返し実行する。説明の容易のために、まず、カウンタ更新処理と外れ図柄カウンタ更新処理とを説明し、その後その他の各処理について説明する。
【００４２】
　［カウンタ更新処理］
　カウンタ更新処理では、図９に示すように、メイン制御装置７０のＣＰＵ７２は、内部乱数カウンタＣ１，リーチ乱数カウンタＣ２，大当り図柄カウンタＣ３，変動パターンカウンタＣ４の各々のカウンタをインクリメントする処理を実行する（ステップＳ２４０）。図１１に示すように、内部乱数カウンタＣ１は、大当りか否かを判定する際に用いられるカウンタであり、本実施形態では０〜５９９までを順に値１ずつインクリメントし、最大値（つまり５９９）に達した後再び０に戻るループカウンタである。リーチ乱数カウンタＣ２は、外れ時にリーチ遊技を行うか否かを決定する際に用いられるカウンタであり、本実施形態では０〜１１までを順に値１ずつインクリメントし、最大値（つまり１１）に達した後再び０に戻るループカウンタである。大当り図柄カウンタＣ３は、大当りのときに特別図柄表示装置４０で変動表示している各図柄Ｌ，Ｍ，Ｒの変動停止時の図柄（大当り図柄）を決定する際に用いられるカウンタであり、本実施形態では０〜９までを順に値１ずつインクリメントし、最大値（つまり９）に達した後再び０に戻るループカウンタである。変動パターンカウンタＣ４は、特別図柄表示装置４０の左図柄Ｌ、中図柄Ｍ、右図柄Ｒを変動表示させるパターンを決定する際に用いられるカウンタであり、本実施形態では０〜９９までを順に値１ずつインクリメントし、最大値（つまり９９）に達した後再び０に戻るループカウンタである。こうして各カウンタを更新すると、各カウンタをＲＡＭ７６の所定領域に設定されたカウンタ用バッファに格納して（ステップＳ２４２）、カウンタ更新処理を終了する。
【００４３】
　［外れ図柄カウンタ更新処理］
　外れ図柄カウンタ更新処理では、図１０に示すように、メイン制御装置７０のＣＰＵ７２は、まず、外れ図柄左カウンタＣＬをインクリメントする処理を実行する（ステップＳ２５０）。図１１に示すように、外れ図柄左カウンタＣＬは、外れのときの左図柄Ｌの変動停止時の図柄を決定するために用いられるカウンタであり、本実施形態では０〜９までを順に値１ずつインクリメントし、最大値（つまり９）に達した後再び０に戻るループカウンタである。続いて外れ図柄左カウンタＣＬが値０であるかを判定し（ステップＳ２５２）、外れ図柄左カウンタＣＬが値０であるときには、外れ図柄右カウンタＣＲをインクリメントする（ステップＳ２５４）。外れ図柄右カウンタＣＲは、外れのときの右図柄Ｒの変動停止時の図柄を決定するために用いられるカウンタであり、本実施形態では外れ図柄左カウンタＣＬと同様に０〜９までを順に値１ずつインクリメントし、最大値（つまり９）に達した後再び０に戻るループカウンタである。同様に、外れ図柄右カウンタＣＲが値０であるかを判定し（ステップＳ２５６）、外れ図柄右カウンタＣＲが値０であるときには、外れ図柄中カウンタＣＭをインクリメントする（ステップＳ２５８）。ここで、外れ図柄中カウンタＣＭは、外れのときの中図柄Ｍの変動停止時の図柄を決定するために用いられるカウンタであり、本実施形態では外れ図柄左カウンタＣＬや外れ図柄右カウンタＣＲと同様に０〜９までを順に値１ずつインクリメントし、最大値（つまり９）に達した後再び０に戻るループカウンタである。
【００４４】
　外れ図柄カウンタＣＬ，ＣＲ，ＣＭをすべてインクリメントするか、ステップＳ２５２で外れ図柄左カウンタＣＬが値０でないと判定されたときか、ステップＳ２５６で外れ図柄右カウンタＣＲが値０でないと判定されたときは、外れ図柄左カウンタＣＬの値と外れ図柄右カウンタＣＲの値とが一致するかを判定する（ステップＳ２６０）。外れ図柄左カウンタＣＬの値と外れ図柄右カウンタＣＲの値とが一致しないときには、各外れ図柄カウンタＣＬ，ＣＭ，ＣＲの値をＲＡＭ７６の所定領域に設定された外れ図柄バッファに格納して（ステップＳ２６２）、本ルーチンを終了する。一方、外れ図柄左カウンタＣＬの値と外れ図柄右カウンタＣＲの値とが一致するときには、外れ図柄中カウンタＣＭの値も一致するかを判定する（ステップＳ２６４）。外れ図柄左カウンタＣＬの値と外れ図柄右カウンタＣＲの値は一致するが外れ図柄中カウンタＣＭの値は異なるときには、各外れ図柄カウンタＣＬ，ＣＭ，ＣＲの値をＲＡＭ７６の所定領域に設定された外れリーチ図柄バッファに格納して（ステップＳ２６６）、本ルーチンを終了する。各外れ図柄カウンタＣＬ，ＣＭ，ＣＲの値の全てが一致するときは、外れ図柄ではないから各外れ図柄カウンタＣＬ，ＣＭ，ＣＲの値を外れ図柄バッファや外れリーチ図柄バッファへ格納することなく本ルーチンを終了する。
【００４５】
　この外れ図柄カウンタ更新処理は、図５に例示したメインルーチンのフローチャートから解るように、所定時間経過毎にメインルーチンが実行されるまでの空き時間に繰り返し行われる。したがって、内部乱数カウンタＣ１やリーチ乱数カウンタＣ２などの他のカウンタはメインルーチンが実行される毎にカウントアップするのに対して、外れ図柄左カウンタＣＬはメインルーチンが実行される毎に加えて空き時間に繰り返し実行される毎にカウントアップする。
【００４６】
　［始動入賞処理］
　始動入賞処理では、図６に示すように、メイン制御装置７０のＣＰＵ７２は、まず、遊技球が始動口４２に入賞したか否かを判定する（ステップＳ２００）。この判定は、特別図柄始動口スイッチ４４がオンとされたか否かによって行うことができる。遊技球が始動口４２に入賞したと判定されると、保留球数Ｎが４未満であるか否かを調べる（ステップＳ２０２）。前述したように、本実施形態では保留上限値が４個だからである。
【００４７】
　保留球数Ｎが４未満のときには、保留球数Ｎを値１だけインクリメントし（ステップＳ２０４）、特別図柄変動保留ランプ４１ａ〜４１ｄを左から順に１つ点灯し（ステップＳ２０６）、図９のカウンタ更新処理のステップＳ２４２や図１０の外れ図柄カウンタ更新処理のステップＳ２６２でＲＡＭ７６のカウンタ用バッファに格納された内部乱数カウンタ値，リーチ乱数カウンタ値、大当り図柄カウンタ値，外れ図柄カウンタ集合値（外れ図柄バッファに一時記憶されている各外れ図柄カウンタＣＬ，ＣＭ，ＣＲの値の集合）を、同じくＲＡＭ７６の所定領域に設定された保留球格納エリアの空き記憶エリアのうち最初のエリアに格納する（ステップＳ２０８）。保留球格納エリアの構造の一例を図１２に示す。図示するように、保留球格納エリアは１つの実行エリアと４つの保留エリア（保留第１〜第４エリア）とから構成され、各エリアは内部乱数カウンタ値，リーチ乱数カウンタ値，大当り図柄カウンタ値，外れ図柄カウンタ集合値を格納可能である。
【００４８】
　各カウンタ値の保留球格納エリアへの格納処理を終了した後や、ステップＳ２００で遊技球が始動口４２に入賞していないと判定されたときや、あるいはステップＳ２０２で保留球数Ｎが４未満と判定されなかったときには、保留球数Ｎが値０より大きいか否かを判定すると共に（ステップＳ２１０）、特別図柄表示装置４０で左，中，右の３個の図柄Ｌ，Ｍ，Ｒを変動表示中であるか否か、あるいは、大当り中であるか否かを判定する（ステップＳ２１２）。保留球数Ｎが値０でなく、特別図柄表示装置４０が変動表示中でもなく、大当り中でもないときには、変動許可フラグＦ１に１をセットして（ステップＳ２１４）、本ルーチンを終了し、保留球数Ｎが値０であったり、特別図柄表示装置４０が変動表示中であったり、大当り中であるときには、変動許可フラグＦ１に１をセットせずに本ルーチンを終了する。なお、変動許可フラグＦ１は、始動条件の成立の有無を表すフラグであり、１にセットされているとき始動条件が成立していることを表す。
【００４９】
　［変動開始処理］
　変動開始処理では、図７に示すように、メイン制御装置７０のＣＰＵ７２は、まず、変動許可フラグＦ１が値１であるか否かを判定する処理を実行する（ステップＳ２２０）。変動許可フラグＦ１が値１でないときには、保留球数Ｎが値０であるか特別図柄表示装置４０によって左，中，右の３個の図柄Ｌ，Ｍ，Ｒが変動表示中であるか、大当り中であるかのいずれかの場合であるので、本ルーチンを終了する。
【００５０】
　変動許可フラグＦ１が値１のときには、特別図柄変動保留ランプ４１ａ〜４１ｄを右側から順に１つ消灯すると共に（ステップＳ２２２）、保留球数Ｎを値１だけディクリメントし（ステップＳ２２４）、保留球格納エリアに格納されたデータをシフトする処理を行う（ステップＳ２２６）。このデータシフト処理は、図１２に例示する保留第１〜第４エリアに格納されているデータを実行エリア側にワンブロックシフトさせる処理である。即ち、保留第１エリアのデータを実行エリアに、保留第２エリアのデータを保留第１エリアに、保留第３エリアのデータを保留第２エリアに、保留第４エリアのデータを保留第３エリアに移動させる処理である。
【００５１】
　次に表示コマンドを決定する処理を行う（ステップＳ２２７）。表示コマンドは、図１３に示すように、特別図柄表示装置４０に左，中，右の３個の図柄Ｌ，Ｍ，Ｒを変動後停止させたときの図柄を設定する停止図柄コマンドと、特別図柄表示装置４０による左，中，右の３個の図柄Ｌ，Ｍ，Ｒの変動パターンを設定する変動パターンコマンドとから構成されている。そして、ステップＳ２２７で決定した表示コマンドを入出力処理回路８０を介して表示用制御装置９０に送信し（ステップＳ２２８）、変動許可フラグＦ１に値０をセットして（ステップＳ２２９）、本ルーチンを終了する。表示コマンドを受信した表示用制御装置９０は、表示コマンドのうちの変動パターンコマンドに従って特別図柄表示装置４０の左，中，右の３個の図柄Ｌ，Ｍ，Ｒを変動表示すると共に後述する確定コマンドを受信したときに停止図柄コマンドに従って特別図柄表示装置４０の左，中，右の３個の図柄Ｌ，Ｍ，Ｒの変動表示を停止する。なお、ステップＳ２２７の表示コマンド決定処理は、図１４に例示するフローチャートを用いて行われる。
【００５２】
　［表示コマンド決定処理］
　表示コマンド決定処理では、図１４に示すようにメイン制御装置７０のＣＰＵ７２は、まず、保留球格納エリアの実行エリアに格納されている内部乱数カウンタＣ１の値が大当りか否かを内部乱数カウンタ値と遊技モード（通常モードか確変モードのいずれか）との関係に基づいて判定する（ステップＳ３００）。具体的には、内部乱数カウンタ値は０〜５９９のいずれかの数値であり、このうち７と３０７が通常モードでの当り値、６０で割ったときの余りが７となる数（７，６７，１２７，…）が確変モードでの当り値と決められている。このため、大当たり判定は、通常モード時には内部乱数カウンタ値が７か３０７のいずれかであるか否かを判定することにより行われ、確変モード時には内部乱数カウンタ値が７，６７，１２７，…のいずれかであるか否かを判定することにより行われる。また、大当り確率は、前者が１／３００、後者が約１／６７である。本実施形態では、パチンコ機２０は電源投入時に通常モードに設定され、その後予め定められた確変図柄で大当りになるとその後の大当り確率がアップした確変モードになり、確変図柄以外の図柄（通常図柄）で大当りになると通常モードになる。なお、確変とは確率変動の略である。
【００５３】
　さて、大当りと判定されると、保留球格納エリアの実行エリアに格納されている大当り図柄カウンタＣ３の値を図１３の表示コマンドの停止図柄コマンドに設定する（ステップＳ３１０）。本実施形態では、大当り図柄カウンタ値は０〜９のいずれかの数値であり、その数値がそのまま図柄となる。また、０〜９のうち奇数の図柄が確変図柄であり、偶数の図柄は通常図柄である。ステップＳ３１０で大当り図柄カウンタＣ３の値を停止図柄コマンドに設定したあと、図１５に例示する大当り時変動パターンコマンド決定処理を行って（ステップＳ３１２）、本ルーチンを終了する。大当り時変動パターンコマンド決定処理では、ＲＡＭ７６の所定領域に設定されたバッファに格納されている変動パターンカウンタＣ４の値を調べ（ステップＳ３４０）、変動パターンカウンタＣ４が２０未満のときにはパターンＢを図１２の表示コマンドの変動パターンコマンドに設定し（ステップＳ３４２）、変動パターンカウンタＣ４が２０以上６０未満のときにはパターンＣを変動パターンコマンドに設定し（ステップＳ３４４）、変動パターンカウンタＣ４が６０以上のときにはパターンＤを変動パターンコマンドに設定する（ステップＳ３４６）。各パターンについては後述する。
【００５４】
　一方、ステップＳ３００において大当りではないと判定されると、保留球格納エリアの実行エリアに格納されているリーチ乱数カウンタＣ２の値がリーチありか否かを判定する（ステップＳ３０２）。本実施形態では、リーチ乱数カウンタＣ２は０〜１１のいずれかであり、例えば「７」であるか否かを判定することによりリーチありか否かの判定が行われる。リーチありと判定されると、ＲＡＭ７６の外れリーチ図柄バッファ（図１１参照）に格納されている外れ図柄左カウンタＣＬ，外れ図柄中カウンタＣＭ，外れ図柄右カウンタＣＲの各値を停止図柄コマンドに設定し（ステップＳ３２０）、図１６に示す外れリーチ時変動パターンコマンド決定処理を行って（ステップＳ３２２）、本ルーチンを終了する。外れリーチ時変動パターンコマンド決定処理では、ＲＡＭ７６の所定領域に設定されたバッファに格納されている変動パターンカウンタＣ４の値を調べ（ステップＳ３５０）、変動パターンカウンタＣ４が５０未満のときにはパターンＢを変動パターンコマンドに設定し（ステップＳ３５２）、変動パターンカウンタＣ４が５０以上９０未満のときにはパターンＣを変動パターンコマンドに設定し（ステップＳ３５４）、変動パターンカウンタＣ４が９０以上のときにはパターンＤを変動パターンコマンドに設定する（ステップＳ３５６）が、このパターンＤの設定については更に後述する。なお、ステップＳ３０２でリーチなしと判定されると、保留球格納エリアの実行エリアに格納されている外れ図柄カウンタＣＬ，ＣＭ，ＣＲの値を停止図柄コマンドに設定し（ステップＳ３３０）、パターンＡを変動パターンコマンドに設定して（ステップＳ３３２）、本ルーチンを終了する。
【００５５】
　本実施形態では、各変動パターンは次のように設定されている。パターンＡは、特別図柄表示装置４０による左，中，右の３個の図柄Ｌ，Ｍ，Ｒの変動表示を開始した後、７秒後に左図柄Ｌを停止し、８秒後に右図柄Ｒを停止し、９秒後に中図柄Ｍを停止するパターンとして設定されている。パターンＢは、特別図柄表示装置４０による左，中，右の３個の図柄Ｌ，Ｍ，Ｒの変動表示を開始した後、７秒後に左図柄Ｌを停止し、８秒後に右図柄Ｒを停止し、中図柄Ｍを低速度で７秒間変動表示した後停止するいわゆるノーマルリーチのパターンとして設定されている。パターンＣは、パターンＢの中図柄Ｍの停止タイミングで中図柄Ｍの変動表示を停止することなく高速度で更に５秒間変動表示した後に停止するいわゆるスーパーリーチのパターンとして設定されている。パターンＤは、変動表示を開始したあと一旦停止して仮停止図柄を表示するという動作（以下「単動作」という）を予め定められた所定回数（ここでは６回）行い、各単動作が停止するごとに仮停止図柄を一覧表示し、一覧表示した仮停止図柄の中から停止図柄を決定するパターンとして設定されている。なお、パターンＤも、便宜上、リーチの一種として説明する。
【００５６】
　［変動停止処理］
　変動停止処理では、図８に示すように、メイン制御装置７０のＣＰＵ７２は、まず、大当り中であるか否かを判定する（Ｓ２３０）。ここで、大当り中には、大当りの際に特別図柄表示装置４０で表示される特別遊技の最中と特別遊技終了後の所定時間の最中とが含まれる。特別遊技終了後の所定時間は、例えばパチンコ機２０の各状態を整えるのに要する時間などとして設定される。大当り中ではないと判定されると、変動パターンにおける変動時間が終了しているか否かを判定する（Ｓ２３２）。この処理は、変動開始処理で説明したように各変動パターンはパターン毎に変動時間が設定されているから、その時間を経過したかを判定することにより行われる。変動時間が終了であるときには、変動表示の停止と確認のために設定されている停止図柄を確定コマンドとして表示用制御装置９０に送信する（Ｓ２３４）。すると、確定コマンドを受信した表示用制御装置９０は、特別図柄表示装置４０の変動を停止させて停止図柄を表示する。続いて、メイン制御装置７０のＣＰＵ７２は、大当りか否かを判定して（Ｓ２３６）、大当りのときには大当り実行コマンドを表示用制御装置９０や大入賞口駆動装置５２などに送信して（Ｓ２３８）、本ルーチンを終了する。大当り実行コマンドを受信した表示用制御装置９０は、停止図柄表示後、ラウンド数と大入賞口への入賞数を表示すると共に特別遊技動画を表示する。また、大入賞口駆動装置５２は、大入賞口５０の開閉駆動を行う。ここで、Ｓ２３６の大当りの判定は、変動開始処理におけるＳ２２７の表示コマンド決定処理（図１４）で行われているからその判定結果を用いるものとしてもよいし、保留球格納エリアの実行エリアに格納されている内部乱数カウンタＣ１の値を用いて判定するものとしてもよい。なお、Ｓ２３０で大当り中と判定されたときやＳ２３２で変動時間が終了していないと判定されたとき、あるいはＳ２３６の大当り判定で大当りでないと判定されたときには、判定後に本ルーチンを終了する。
【００５７】
　ここで、パターンＤの表示画面の一例を図１７に示す。特別図柄表示装置４０には、変動表示を開始してから一旦停止するまでの様子すなわち単動作を表示する主表示領域４０２と、単動作ごとに生成する仮停止図柄を一覧表示する第１〜第６の仮停止図柄表示領域４０４ａ〜４０４ｆとが設けられ、主表示領域４０２の各図柄Ｌ，Ｍ，Ｒと各停止図柄表示領域４０４ａ〜４０４ｆとは重ならないように表示される。このパターンＤでは、予め定められた所定回数（ここでは６回）の単動作が行われ、６つの仮停止図柄が一覧表示される。また、各回の単動作に要する時間はいずれも同じであり、本実施形態では５秒に定められている。このパターンＤには、パターンＤ１からパターンＤ６までの６つのパターンが存在し、Ｄの後ろの数字は停止図柄コマンドに応じた停止図柄（以下、本停止図柄という）を６回の単動作のうちの何回目に表示させるか即ち本停止図柄の表示回を表す。このため、大当り時変動パターンコマンド決定処理ではステップＳ３４６においてパターンＤに設定するに際し図１８（ａ）に示すようにＣ４に基づいてパターンＤ１〜Ｄ６のいずれかに設定し、外れリーチ時変動パターンコマンド決定処理ではステップＳ３５６においてパターンＤに設定するに際し図１８（ｂ）に示すようにＣ４に基づいてパターンＤ１〜Ｄ６のいずれかに設定する。なお、パターンＤ１〜Ｄ６には重み付けがされていてもよいし、重み付けせず均等配分としてもよい。
【００５８】
　表示用制御装置９０は、図１９に示すように、メイン制御装置７０の各外れ図柄カウンタＣＬ，ＣＭ，ＣＲと同様の図柄カウンタＤＣＬ，ＤＣＭ，ＤＣＲを有している。このうち、図柄左カウンタＤＣＬは仮停止図柄（但し、本停止図柄も仮停止図柄の一つになることから、ここでは本停止図柄と区別するために偽停止図柄という）の左図柄を決めるためのカウンタであり、図柄中カウンタＤＣＭは偽停止図柄の中図柄を決めるためのカウンタであり、図柄右カウンタＤＣＲは偽停止図柄の右図柄を決めるためのカウンタである。
【００５９】
　表示用制御装置９０のＣＰＵ９１は、パターンＤを実行するための準備として、所定時間毎（例えば数ｍｓｅｃ毎）にプログラムＲＯＭ９３からパターンＤ関連カウンタ更新処理プログラムを読み出してこれを実行する。図２０はパターンＤ関連カウンタ更新処理のフローチャートである。このパターンＤ関連カウンタ更新処理が開始されると、ＣＰＵ９１は、まず図柄左カウンタＤＣＬをインクリメントし（ステップＳ５０４）。続いてその図柄左カウンタＤＣＬが値０であるかを判定し（ステップＳ５０６）、図柄左カウンタＤＣＬが値０であるときには、図柄右カウンタＤＣＲをインクリメントし（ステップＳ５０８）。続いてその図柄右カウンタＤＣＲが値０であるかを判定し（ステップＳ５１０）、図柄右カウンタＤＣＲが値０であるときには、図柄中カウンタＤＣＭをインクリメントする（ステップＳ５１２）。そして、図柄カウンタＤＣＬ，ＤＣＲ，ＤＣＭをすべてインクリメントするか、ステップＳ５０６で図柄左カウンタＤＣＬが値０でないと判定されたときか、ステップＳ５１０で図柄右カウンタＤＣＲが値０でないと判定されたときには、各図柄カウンタＤＣＬ，ＤＣＭ，ＤＣＲの値をワークＲＡＭ９４の図柄バッファに格納して（ステップＳ５１４）、本ルーチンを終了する。図柄バッファは、図１９に示すように第１〜第５の図柄カウンタ集合値を格納可能であり、このパターンＤ関連カウンタ更新処理を行うのが電源投入後初回のときには第１の図柄カウンタ集合値に格納し、２度目のときには第２の図柄カウンタ集合値に格納し、３度目のときには第３の図柄カウンタ集合値に格納し、４度目のときには第４の図柄カウンタ集合値に格納し、５度目のときには第５の図柄カウンタ集合値に格納し、その後このパターンＤ関連カウンタ更新処理を行うごとに順次第１〜第５の図柄カウンタ集合値を更新していく。なお、本実施形態では、図柄カウンタ集合値を５つ設けたが、これはパターンＤにおいて単動作を６回実行するため偽停止図柄が最大５つ必要になるからである。
【００６０】
　次に、表示用制御装置９０は、メイン制御装置７０から受信した表示コマンドの変動パターンコマンドがパターンＤつまりパターンＤ１からパターンＤ６のいずれかだったときには、ＣＰＵ９１がプログラムＲＯＭ９３からパターンＤ対応処理プログラムを読み出しこれを実行する。図２１はパターンＤ対応処理のフローチャートである。このパターンＤ対応処理が開始されると、ＣＰＵ９１は、まず本停止図柄の表示回を認識する（ステップＳ６００）。即ち、変動パターンコマンドがパターンＤ１からパターンＤ６のいずれであるかを認識し、パターンＤ１であれば本停止図柄の表示回は第１回、パターンＤ２であれば本停止図柄の表示回は第２回、といった具合に認識する。続いて、ワークＲＡＭ９４内のパターンＤ用格納エリアの第１〜第６の仮停止図柄エリアのうち本停止図柄の表示回（第ｍ回とする）に対応した第ｍの仮停止図柄エリアに、表示コマンドの停止図柄コマンドに対応する本停止図柄を格納する（ステップＳ６０２）。続いて、第１〜第５の図柄カウンタ集合値を図柄バッファから順次読み出して、図１９のパターンＤ用格納エリア内の第ｍの仮停止図柄エリア以外の空きエリアに順次格納する（ステップＳ６０４）。続いて、このパターンＤ用格納エリアに格納されたデータに基づいて、特別図柄表示装置４０の表示制御を行うと共に、表示に合わせて音声用制御装置８４に制御信号を出力して音声制御を実行したり図示しない装飾ランプにオンオフ信号を出力してランプ制御を実行し（ステップＳ６０６）、本ルーチンを終了する。
【００６１】
　次に、パターンＤの具体例を説明する。ここでは、表示コマンドがパターンＤ５、本停止図柄が「５」「５」「５」、ワークＲＡＭ９４の図柄バッファにおける第１〜第５の図柄カウンタ集合値が「１」「２」「３」、「７」「７」「７」、「３」「４」「１」、「２」「２」「２」、「７」「５」「７」の場合を例に挙げて説明する。まず、表示用制御装置９０は、図２１のステップＳ６００で今回の変動パターンコマンドがパターンＤ５であるから本停止図柄の表示回を第５回と認識し、ステップＳ６０２で第５の仮停止図柄エリアに今回の停止図柄「５」「５」「５」を格納する。続くステップＳ６０４で図柄バッファの第１の図柄カウンタ集合値「１」「２」「３」をパターンＤ用格納エリアの第１の仮停止図柄エリアに格納し、第２の図柄カウンタ集合値「７」「７」「７」を第２の仮停止図柄エリアに格納し、第３の図柄カウンタ集合値「３」「４」「１」を第３の仮停止図柄エリアに格納し、第４の図柄カウンタ集合値「２」「２」「２」を第４の仮停止図柄エリアに格納し、第５の図柄カウンタ集合値「７」「５」「７」を第６の仮停止図柄エリアに格納する。そして、ステップＳ６０６でこのパターンＤ用格納エリアのデータに基づいて表示制御、音声制御、ランプ制御を行う。
【００６２】
　このとき実行される表示制御について図２２に基づいて説明する。まず、特別図柄表示装置４０の各仮停止図柄表示領域４０４ａ〜４０４ｆは空欄として表示され、主表示領域４０２では各図柄Ｌ，Ｍ，Ｒの変動表示が開始される（図２２（ａ）参照）。つまり、１回目の単動作が開始される。その５秒後に、主表示領域４０２には、１回目の単動作が停止し仮停止図柄としてパターンＤ用格納エリアの第１の仮停止図柄エリアに格納された「１」「２」「３」が表示される（図２２（ｂ）参照）。その後、第１の仮停止図柄表示領域４０４ａに「１」「２」「３」と表示されると共に、主表示領域４０２では各図柄Ｌ，Ｍ，Ｒの変動表示が再開される（図２２（ｃ）参照）。つまり、２回目の単動作が開始される。その５秒後に、主表示領域４０２には、２回目の単動作が停止し仮停止図柄として第２の仮停止図柄エリアに格納された「７」「７」「７」が表示される（図２２（ｄ）参照）。その後、第１及び第２の仮停止図柄表示領域４０４ａ，４０４ｂにそれぞれ「１」「２」「３」，「７」「７」「７」と表示されると共に、主表示領域４０２では各図柄Ｌ，Ｍ，Ｒの変動表示が再開される（図２２（ｅ）参照）。つまり、３回目の単動作が開始される。その後、単動作が繰り返され、６回目の単動作が開始されると、第１〜第５の仮停止図柄表示領域４０４ａ〜４０４ｅにはパターンＤ用格納エリアの第１〜第５の仮停止図柄エリアに対応する図柄、即ち「１」「２」「３」，「７」「７」「７」，「３」「４」「１」，「２」「２」「２」，「５」「５」「５」が表示される（図２２（ｆ）参照）。そして６回目の単動作開始から５秒後に、主表示領域４０２には、６回目の単動作が停止し仮停止図柄として第６の仮停止図柄エリアに格納された「７」「５」「７」が表示される（図２２（ｇ）参照）。その後、主表示領域４０２が消え、第６の仮停止図柄表示領域４０４ｆに「７」「５」「７」と表示される（図２２（ｈ）参照）。つまり、６つの仮停止図柄が一覧表示される。続いて、第１の仮停止図柄表示領域４０４ａの外枠を太線で囲い込む決定枠４０６が表示され、この決定枠４０６が各仮停止図柄表示領域４０４ａ〜４０４ｆを順次囲うようにして移動する（図２２（ｉ）参照）。その後、決定枠４０６は、メイン制御装置７０からの表示コマンドの停止図柄コマンドに対応した本停止図柄つまり第５の仮停止図柄表示領域４０４ｅで停止し（図２２（ｊ）参照）、この仮停止図柄「５」「５」「５」が停止図柄となって拡大表示される（図２２（ｋ）参照）。
【００６３】
　このようなパターンＤが表示されるパチンコ機２０で遊技している遊技者は、図２２（ｂ）のように単動作後の仮停止図柄が外れ図柄のときには残念な気分になり、図２３（ｄ）のように単動作後の仮停止図柄が大当り図柄のときには楽しい気分になる。そして、図２２（ｉ）のように決定枠４０６が移動し始めると、第１〜第６の仮停止図柄表示領域４０４ａ〜４０４ｆのうち大当り図柄（「７」「７」「７」，「２」「２」「２」，「５」「５」「５」）のところで決定枠４０６が停止することを期待し、更に大当り図柄のうち奇数で揃った確変図柄（「７」「７」「７」，「５」「５」「５」）のところで決定枠４０６が停止することを強く期待する。このようなパターンＤが表示されたときには、従来のリーチアクションとは異なる興趣性をもって遊技を行うことができる。
【００６４】
　以上詳述した本実施形態のパチンコ機２０によれば、パターンＤにおいて、図２２（ｈ）〜（ｊ）のように一覧表示された複数の仮停止図柄の中には大当り図柄と外れ図柄とが混在しているため遊技者はそのうちの大当り図柄が停止図柄となるように期待しながら遊技を行う。このパターンＤのような変動態様は従来知られていなかったものであるため、有利な遊技状態になるかどうかというときに従来と異なる興趣性を遊技者に与えることができる。
【００６５】
　また、単動作が停止するごとに仮停止図柄が表示されるため、その仮停止図柄が大当り図柄であれば最終的にその大当り図柄が停止図柄になることを期待しながら遊技を行い、あるいは、その仮停止図柄が外れ図柄であれば次回の仮停止図柄が大当り図柄になることを期待しながら遊技を行う。したがって、この点でも興趣性が高まる。
【００６６】
　更に、単動作は予め定められた６回繰り返されるため、遊技者はその回数分の仮停止図柄が一覧表示されるのを楽しみながら待つことができるし、また、単動作に要する時間はいずれの回も同じであるため、遊技者はテンポよく遊技することができる。
【００６７】
　更にまた、単動作を実行している期間中、単動作の様子を表示する主表示領域４０２と各仮停止図柄表示領域４０４ａ〜４０４ｆとが重ならないよう表示するため、パチンコ機２０が単動作を実行している途中であっても、遊技者はそれまでの仮停止図柄のすべてを容易に確認することができる。
【００６８】
　そしてまた、表示用制御装置９０はメイン制御装置７０から受信した変動パターンコマンドがパターンＤのとき仮停止図柄を表示用制御装置９０自身が決定し表示制御を実行するため、メイン制御装置７０の負担が重くならない。そのうえ、表示用制御装置９０はランプ表示の制御や音声発生の制御も行うため、ランプ表示や音声発生を図柄の表示内容に合わせて適切に制御することができる。
【００６９】
　なお、本発明の実施の形態は、上記実施形態に何ら限定されるものではなく、本発明の技術的範囲に属する限り種々の形態を採り得ることはいうまでもない。
【００７０】
　例えば、上述した実施形態では、パターンＤにおける単動作の回数を６回と規定したが、単動作の回数を随時定められた回数としてもよい。例えば上述した実施形態において、パターンＤ１を更に細分化してパターンＤ１２，Ｄ１３，…，Ｄ１６とし、Ｄの後ろの２桁の数字のうち１０の位が本停止図柄の表示回を表し、１の位が単動作の回数を表すようにし、図１８（ａ）において変動パターンカウンタＣ４の値が「６０」のときパターンＤ１２、「６１」のときパターンＤ１３、「６２」のときパターンＤ１４、…とし、パターンＤ２〜Ｄ６についても同様にして細分化してもよい。但し、本停止図柄の表示回が単動作の回数を上回ることはないため、Ｄの後ろの２桁の数字のうち１０の位の数字は１の位の数字を上回ることはない。こうすれば、変動パターンカウンタＣ４の値によってランダムに単動作の回数が決まるため、遊技者はいくつ仮停止図柄が一覧表示されるのかわからず、次回の単動作が開始されることを期待しつつ、あるいは逆に次回の単動作が開始されないことを期待しつつ、遊技を楽しむことができる。
【００７１】
　また、上述した実施形態では、単動作に要する時間は６回とも同じとしたが、回によって異なることがあってもよい。例えば上述した実施形態において、６回の単動作に要する時間をそれぞれ決定するための第１〜第６の時間カウンタを設け、各カウンタは例えば「０」〜「９」をループするカウンタであり、「０」のとき３秒、「１」のとき４秒、…、「９」のとき１２秒に対応するように定め、第ｎの時間カウンタが「０」になるごとに第（ｎ＋１）の時間カウンタが値１ずつインクリメントしていくようにし、変動パターンコマンドがパターンＤのときに第１〜第６の時間カウンタを読み込み、各時間カウンタに対応する秒数だけ各回の単動作を行うようにしてもよい。こうすれば、不定期に仮停止図柄が表示されるため、遊技者は単動作がいつ停止するのか分からず、期待感を持って仮停止図柄が表れるのを待つ。
【００７２】
　更に、上述した実施形態では、単動作を実行している期間中、単動作の様子を表示する主表示領域４０２と各仮停止図柄表示領域４０４ａ〜４０４ｆとが重ならないよう表示したが、主表示領域４０２と仮停止図柄表示領域の一部とが重なり合うように表示し、単動作が停止する毎に主表示領域４０２の表示を消して仮停止図柄表示領域のすべてを表示してもよい。例えば上述した実施形態において、図２３に示すように単動作の回数を９回とし、９つの仮停止図柄表示領域４０４ａ〜４０４ｉとし、単動作を実行している期間中は図２３（ａ）に示すように仮停止図柄表示領域４０４ｄ〜４０４ｆと主表示領域４０２とが重なるように表示し、単動作が停止したあと仮停止図柄「５」「５」「５」を主表示領域４０２に表示し（図２３（ｂ）参照）、その後主表示領域４０２を消してすべての仮停止図柄表示領域４０４ａ〜４０４ｉを表示し（図２３（ｃ）参照）、その後、主表示領域４０２を再表示して次の単動作を開始してもよい（図２３（ｄ）参照）。こうすれば、パチンコ機２０が単動作を実行している途中ではそれまでの仮停止図柄のすべてを確認することができない場合もあるが、単動作が停止する毎に仮停止図柄の一覧がすべて表示される（図２３（ｃ）参照）ため、その時点で遊技者は仮停止図柄のすべてを確認することができる。
【００７３】
　更にまた、上述した実施形態では、パチンコ機２０に本発明を適用した場合を例示したが、スロットマシンやスロットマシンとパチンコ機との融合機やその他の遊技機に本発明を適用してもよい。
【図面の簡単な説明】
【００７４】
【図１】本実施形態であるパチンコ機を正面から見た外観図である。
【図２】パチンコ機の遊技盤の構成の概略を示す構成図である。
【図３】本実施形態のパチンコ機の電気的接続を例示するブロック図である。
【図４】表示用制御装置９０の構成を中心に示すブロック図である。
【図５】メインルーチンのフローチャートである。
【図６】始動入賞処理のフローチャートである。
【図７】変動開始処理のフローチャートである。
【図８】変動停止処理のフローチャートである。
【図９】カウンタ更新処理のフローチャートである。
【図１０】外れ図柄カウンタ更新処理のフローチャートである。
【図１１】メイン制御装置のカウンタ用バッファ及び各種カウンタの説明図である。
【図１２】保留球格納エリアの説明図である。
【図１３】表示コマンドの説明図である。
【図１４】表示コマンド決定処理のフローチャートである。
【図１５】大当り時変動パターンコマンド決定処理のフローチャートである。
【図１６】外れリーチ時変動パターンコマンド決定処理のフローチャートである。
【図１７】パターンＤの表示画面の一例を示す説明図である。
【図１８】変動パターンカウンタＣ４の値とパターンＤ１〜Ｄ６との関係を表すテーブルである。
【図１９】表示用制御装置の図柄バッファ及び各種カウンタの説明図である。
【図２０】パターンＤ関連カウンタ更新処理のフローチャートである。
【図２１】パターンＤ対応処理のフローチャートである。
【図２２】パターンＤの変動態様の一例を表す説明図である。
【図２３】パターンＤの変動態様の一例を表す説明図である。
【符号の説明】
【００７５】
２０…パチンコ機、３０…遊技盤、３２…普通図柄表示装置、４０…特別図柄表示装置、４１ａ〜４１ｄ…特別図柄変動保留ランプ、４２…始動口、４４…特別図柄始動口スイッチ、４６…普通電動役物、５０…大入賞口、５２…大入賞口駆動装置、７０…メイン制御装置、８４…音声用制御装置、９０…表示用制御装置、４０２…主表示領域、４０４…仮停止図柄表示領域、４０６…残り時間表示領域、Ｃ１…内部乱数カウンタ、Ｃ２…リーチ乱数カウンタ、Ｃ３…大当り図柄カウンタ、Ｃ４…変動パターンカウンタ、ＣＬ…外れ図柄左カウンタ、ＣＭ…外れ図柄中カウンタ、ＣＲ…外れ図柄右カウンタ、ＤＣＬ…図柄左カウンタ、ＤＣＭ…図柄中カウンタ、ＤＣＲ…図柄右カウンタ、Ｌ…左図柄、Ｍ…中図柄、Ｒ…右図柄。
【図１】
2004000740.tif 000003
【図２】
2004000740.tif 000004
【図３】
2004000740.tif 000005
【図４】
2004000740.tif 000006
【図５】
2004000740.tif 000007
【図６】
2004000740.tif 000008
【図７】
2004000740.tif 000009
【図８】
2004000740.tif 000010
【図９】
2004000740.tif 000011
【図１０】
2004000740.tif 000012
【図１１】
2004000740.tif 000013
【図１２】
2004000740.tif 000014
【図１３】
2004000740.tif 000015
【図１４】
2004000740.tif 000016
【図１５】
2004000740.tif 000017
【図１６】
2004000740.tif 000018
【図１７】
2004000740.tif 000019
【図１８】
2004000740.tif 000020
【図１９】
2004000740.tif 000021
【図２０】
2004000740.tif 000022
【図２１】
2004000740.tif 000023
【図２２】
2004000740.tif 000024
【図２３】
2004000740.tif 000025